【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  印刷装置を利用する印刷装置利用者の使用可能な利用者用端末からの指示に応じて、前記印刷装置により所定の印刷処理を実行する印刷システムにおいて、
前記印刷装置利用者の前記印刷装置に対する印刷履歴を示す印刷履歴情報に基づいて、前記印刷処理の質を制限するようになっていることを特徴とする印刷システム。
【請求項２】  所定の印刷処理を行う印刷装置と、当該印刷装置を利用する印刷装置利用者の使用可能な利用者用端末と、を備え、
前記印刷装置と前記利用者用端末とを互いにデータ通信可能に接続し、
前記利用者用端末は、前記所定の印刷処理を前記印刷装置に実行させるための印刷情報を前記印刷装置に送信する印刷情報送信手段と、
前記印刷装置利用者を識別可能な利用者情報を前記印刷装置に送信する利用者情報送信手段と、を備え、
前記印刷装置は、前記印刷装置利用者の前記印刷装置に対する印刷履歴を示す印刷履歴情報を記憶する印刷履歴情報記憶手段と、
前記利用者用端末からの前記印刷情報及び前記利用者情報と、前記印刷履歴情報記憶手段の記憶内容と、に基づき、前記印刷情報によって指定される前記所定の印刷処理の質を制限した印刷処理を行う制限印刷処理手段と、を備えることを特徴とする印刷システム。
【請求項３】  印刷装置と、当該印刷装置を利用する印刷装置利用者の使用可能な利用者用端末と、印刷システム管理用サーバと、を備え、
前記利用者用端末と前記印刷システム管理用サーバとを互いにデータ通信可能に接続し、
前記印刷装置と前記印刷システム管理用サーバとを互いにデータ通信可能に接続し、
前記利用者用端末は、所定の印刷処理を前記印刷装置に実行させるための印刷情報を前記印刷システム管理用サーバに送信する印刷情報送信手段と、
前記印刷装置利用者を識別可能な利用者情報を前記印刷システム管理用サーバに送信する利用者情報送信手段と、を備え、
前記印刷システム管理用サーバは、前記印刷装置利用者の前記印刷装置に対する印刷履歴を示す印刷履歴情報を記憶する印刷履歴情報記憶手段と、
前記利用者用端末からの前記印刷情報及び前記利用者情報と、前記印刷履歴情報記憶手段の記憶内容と、に基づき、前記印刷情報における前記所定の印刷処理の質を制限した制限印刷情報を生成する制限印刷情報生成手段と、当該生成された制限印刷情報を前記印刷装置に送信する制限印刷情報送信手段と、を備え、
前記印刷装置は、前記印刷システム管理用サーバからの前記制限印刷情報に基づき、前記質の制限された印刷処理を行うことを特徴とする印刷システム。
【請求項４】  印刷装置と、当該印刷装置を利用する印刷装置利用者の使用可能な利用者用端末と、印刷システム管理用サーバと、を備え、
前記利用者用端末と前記印刷システム管理用サーバとを互いにデータ通信可能に接続し、
前記印刷装置と前記印刷システム管理用サーバとを互いにデータ通信可能に接続し、
前記利用者用端末は、所定の印刷処理を前記印刷装置に実行させるための印刷情報を前記印刷システム管理用サーバに送信する印刷情報送信手段と、
前記印刷装置利用者を識別可能な利用者情報を前記印刷システム管理用サーバに送信する利用者情報送信手段と、を備え、
前記印刷システム管理用サーバは、前記印刷装置利用者の前記印刷装置に対する印刷履歴を示す印刷履歴情報を記憶する印刷履歴情報記憶手段と、
前記印刷装置が、前記印刷情報における前記所定の印刷処理の質を制限した印刷処理を行うための、前記制限内容に応じた複数種類の印刷制御情報と、
前記利用者用端末からの前記印刷情報及び前記利用者情報と、前記印刷履歴情報記憶手段の記憶内容と、に基づき、前記複数種類の印刷制御情報の中から適切な種類の印刷制御情報を選択する印刷制御情報選択手段と、
前記選択された印刷制御情報を前記印刷装置に送信する印刷制御情報送信手段と、を備え、
前記印刷装置は、前記印刷システム管理用サーバから取得した印刷制御情報を記憶する印刷制御情報記憶手段と、
前記利用者用端末から送信された前記印刷情報及び前記印刷制御情報記憶手段に記憶された前記印刷制御情報に基づき、前記質の制限された印刷処理を行う印刷処理手段と、
前記印刷システム管理用サーバから新たに前記印刷制御情報を取得する毎に、過去に取得した前記印刷制御情報を破棄する印刷制御情報破棄手段と、を備えることを特徴とする印刷システム。
【請求項５】  前記制限印刷処理手段は、前記印刷情報、前記利用者情報及び前記印刷履歴情報記憶手段の記憶内容に加え、前記印刷処理の質の制限を行う要因である制限要因に基づき生成された、所定期間における前記印刷処理の質の変遷を示す変遷情報に基づき前記印刷処理の質を制限するようになっていることを特徴とする請求項２記載の印刷システム。
【請求項６】  前記制限印刷情報生成手段は、前記印刷情報、前記利用者情報及び前記印刷履歴情報記憶手段の記憶内容に加え、前記印刷処理の質の制限を行う要因である制限要因に基づき生成された、所定期間における前記印刷処理の質の変遷を示す変遷情報に基づき前記制限印刷情報を生成することを特徴とする請求項３記載の印刷システム。
【請求項７】  前記印刷制御情報選択手段は、前記印刷情報、前記利用者情報及び前記印刷履歴情報記憶手段の記憶内容に加え、前記印刷処理の質の制限を行う要因である制限要因に基づき生成された、所定期間における前記印刷処理の質の変遷を示す変遷情報に基づき前記所定種類の印刷制御情報を選択することを特徴とする請求項４記載の印刷システム。
【請求項８】  変遷内容の異なる複数種類の前記変遷情報を有しており、
前記印刷装置利用者の所定期間における前記印刷履歴情報に基づき、前記複数種類の前記変遷情報の中から前記印刷装置利用者に適した変遷情報を選択する第１の変遷情報選択手段を備えることを特徴とする請求項５乃至請求項７のいずれか１項に記載の印刷システム。
【請求項９】  変遷内容の異なる複数種類の前記変遷情報を有しており、
前記印刷装置利用者が前記複数種類の変遷情報の中から任意の変遷情報を選択可能な第２の変遷情報選択手段を備えることを特徴とする請求項５乃至請求項８のいずれか１項に記載の印刷システム。
【請求項１０】  前記印刷情報によって指定される前記所定の印刷処理内容を反映した前記質の制限を行うことを特徴とする請求項６乃至請求項９のいずれか１項に記載の印刷システム。
【請求項１１】  前記制限印刷処理手段は、前記印刷情報、前記利用者情報及び前記印刷履歴情報記憶手段の記憶内容に加え、前記印刷処理の種類毎に、前記印刷装置利用者が利用可能な割合を設定した印刷割合情報に基づき前記印刷処理の質を制限するようになっていることを特徴とする請求項２記載の印刷システム。
【請求項１２】  前記制限印刷情報生成手段は、前記印刷情報、前記利用者情報及び前記印刷履歴情報記憶手段の記憶内容に加え、前記印刷処理の種類毎に、前記印刷装置利用者が利用可能な割合を設定した印刷割合情報に基づき前記印刷制限情報を生成することを特徴とする請求項３記載の印刷システム。
【請求項１３】  前記印刷制御情報選択手段は、前記印刷情報、前記利用者情報及び前記印刷履歴情報記憶手段の記憶内容に加え、前記印刷処理の種類毎に、前記印刷装置利用者が利用可能な割合を設定した印刷割合情報に基づき前記適切な種類の印刷制御情報を選択することを特徴とする請求項４記載の印刷システム。
【請求項１４】  印刷システムに適用可能な印刷装置であって、
印刷装置利用者の前記印刷装置に対する印刷履歴を示す印刷履歴情報を記憶する印刷履歴情報記憶手段と、
利用者用端末からの印刷情報及び利用者情報と、前記印刷履歴情報記憶手段の記憶内容と、に基づき、前記印刷情報によって指定される所定の印刷処理の質を制限した印刷処理を行う制限印刷処理手段と、を備えることを特徴とする印刷装置。
【請求項１５】  印刷システムに適用可能な印刷システム管理用サーバであって、
印刷装置利用者の印刷装置に対する印刷履歴を示す印刷履歴情報を記憶する印刷履歴情報記憶手段と、
利用者用端末からの印刷情報及び利用者情報と、前記印刷履歴情報記憶手段の記憶内容と、に基づき、前記印刷情報における所定の印刷処理の質を制限した制限印刷情報を生成する制限印刷情報生成手段と、当該生成された制限印刷情報を前記印刷装置に送信する制限印刷情報送信手段と、を備えることを特徴とする印刷システム管理用サーバ。
【請求項１６】  印刷システムに適用可能な印刷システム管理用サーバであって、
印刷装置利用者の印刷装置に対する印刷履歴を示す印刷履歴情報を記憶する印刷履歴情報記憶手段と、
前記印刷装置が、印刷情報における所定の印刷処理の質を制限した印刷処理を行うための、制限内容に応じた複数種類の印刷制御情報と、
利用者用端末からの前記印刷情報及び利用者情報と、前記印刷履歴情報記憶手段の記憶内容と、に基づき、前記複数種類の印刷制御情報の中から適切な種類の印刷制御情報を選択する印刷制御情報選択手段と、
前記選択された印刷制御情報を前記印刷装置に送信する印刷制御情報送信手段と、
前記利用者用端末から取得した前記印刷情報を前記印刷装置に送信する第２の印刷情報送信手段と、を備えることを特徴とする印刷システム管理用サーバ。
【請求項１７】  印刷システムに適用可能な印刷装置であって、
印刷システム管理用サーバから取得した印刷制御情報を記憶する印刷制御情報記憶手段と、
前記印刷システム管理用サーバから取得した印刷情報及び前記印刷制御情報記憶手段に記憶された前記印刷制御情報に基づき、質の制限された印刷処理を行う印刷処理手段と、
前記印刷システム管理用サーバから新たに前記印刷制御情報を取得する毎に、過去に取得した前記印刷制御情報を破棄する印刷制御情報破棄手段と、を備えることを特徴とする印刷装置。
【請求項１８】  印刷装置を制御するためのコンピュータが実行可能なプログラムであって、
印刷装置利用者の前記印刷装置に対する印刷履歴を示す印刷履歴情報を記憶する印刷履歴情報記憶ステップと、
利用者用端末からの印刷情報及び利用者情報と、前記印刷履歴情報記憶手段の記憶内容と、に基づき、前記印刷情報によって指定される所定の印刷処理の質を制限した印刷処理を行う制限印刷処理ステップと、を備えることを特徴とする印刷装置制御プログラム。
【請求項１９】  印刷システム管理用サーバを制御するためのコンピュータが実行可能なプログラムであって、
印刷装置利用者の印刷装置に対する印刷履歴を示す印刷履歴情報を記憶する印刷履歴情報記憶ステップと、
利用者用端末からの印刷情報及び利用者情報と、前記印刷履歴情報記憶手段の記憶内容と、に基づき、前記印刷情報における所定の印刷処理の質を制限した制限印刷情報を生成する制限印刷情報生成ステップと、当該生成された制限印刷情報を前記印刷装置に送信する制限印刷情報送信ステップと、を備えることを特徴とする印刷システム管理用サーバ制御プログラム。
【請求項２０】  印刷システム管理用サーバを制御するためのコンピュータが実行可能なプログラムであって、
前記印刷システム管理用サーバは、印刷装置が、印刷情報における所定の印刷処理の質を制限した印刷処理を行うための、制限内容に応じた複数種類の印刷制御情報を有しており、
印刷装置利用者の前記印刷装置に対する印刷履歴を示す印刷履歴情報を記憶する印刷履歴情報記憶ステップと、
利用者用端末からの前記印刷情報及び利用者情報と、前記印刷履歴情報記憶手段の記憶内容と、に基づき、前記複数種類の印刷制御情報の中から適切な種類の印刷制御情報を選択する印刷制御情報選択ステップと、
前記選択された印刷制御情報を前記印刷装置に送信する印刷制御情報送信ステップと、
前記利用者用端末から取得した前記印刷情報を前記印刷装置に送信する第２の印刷情報送信ステップと、を備えることを特徴とする印刷システム管理用サーバ制御プログラム。
【請求項２１】  印刷装置を制御するためのコンピュータが実行可能なプログラムであって、
印刷システム管理用サーバから取得した印刷制御情報を記憶する印刷制御情報記憶ステップと、
前記印刷システム管理用サーバから取得した印刷情報及び前記印刷制御情報記憶手段に記憶された前記印刷制御情報に基づき、質の制限された印刷処理を行う制限印刷処理ステップと、
前記印刷システム管理用サーバから新たに前記印刷制御情報を取得する毎に、過去に取得した前記印刷制御情報を破棄する印刷制御情報破棄ステップと、を備えることを特徴とする印刷装置制御プログラム。
【手続補正２】
【補正対象書類名】明細書
【補正対象項目名】００３６
【補正方法】変更
【補正の内容】
【００３６】
つまり、例えば、印刷装置利用者の利用内容に合わせて、カラー印刷２０％、モノクロ印刷４０％、モノクロ両面印刷２０％及びモノクロ４ｕｐ印刷２０％と印刷割合を設定したとすると、制限印刷情報生成手段は、カラー印刷を２０％以上実行すると、以降は、印刷情報によってカラー印刷を指定しても、例えば、モノクロ印刷を行うための印刷制御情報を選択し、モノクロ印刷が４０％以上実行されると、モノクロ印刷を指定しても、それ以外の、例えばモノクロ両面印刷を行うための印刷制御情報を選択するといったように、予め設定された印刷割合に従って、その割合を維持しながら印刷処理の質に制限をかけるように印刷制御情報を選択する。これにより、印刷装置利用者の満足度を確保しながら印刷コスト等の削減が可能となる。
〔発明１４〕
さらに、発明１４の印刷装置は、印刷システムに適用可能な印刷装置であって、
印刷装置利用者の前記印刷装置に対する印刷履歴を示す印刷履歴情報を記憶する印刷履歴情報記憶手段と、
利用者用端末からの印刷情報及び利用者情報と、前記印刷履歴情報記憶手段の記憶内容と、に基づき、前記印刷情報によって指定される所定の印刷処理の質を制限した印刷処理を行う制限印刷処理手段と、を備えることを特徴としている。
【手続補正３】
【補正対象書類名】明細書
【補正対象項目名】００３７
【補正方法】変更
【補正の内容】
【００３７】
ここで、本発明は、発明２に記載の印刷システムにおいて適用可能な印刷装置であり、その作用効果は重複するので記載を省略する。
〔発明１５〕
さらに、発明１５の印刷システム管理用サーバは、印刷システムに適用可能な印刷システム管理用サーバであって、
印刷装置利用者の印刷装置に対する印刷履歴を示す印刷履歴情報を記憶する印刷履歴情報記憶手段と、
利用者用端末からの印刷情報及び利用者情報と、前記印刷履歴情報記憶手段の記憶内容と、に基づき、前記印刷情報における所定の印刷処理の質を制限した制限印刷情報を生成する制限印刷情報生成手段と、当該生成された制限印刷情報を前記印刷装置に送信する制限印刷情報送信手段と、を備えることを特徴としている。
【手続補正４】
【補正対象書類名】明細書
【補正対象項目名】００３８
【補正方法】変更
【補正の内容】
【００３８】
ここで、本発明は、発明３に記載の印刷システムにおいて適用可能な印刷システム管理用サーバであり、その作用効果は重複するので記載を省略する。
〔発明１６〕
さらに、発明１６の印刷システム管理用サーバは、印刷システムに適用可能な印刷システム管理用サーバであって、
印刷装置利用者の印刷装置に対する印刷履歴を示す印刷履歴情報を記憶する印刷履歴情報記憶手段と、
前記印刷装置が、印刷情報における所定の印刷処理の質を制限した印刷処理を行うための、制限内容に応じた複数種類の印刷制御情報と、
利用者用端末からの前記印刷情報及び利用者情報と、前記印刷履歴情報記憶手段の記憶内容と、に基づき、前記複数種類の印刷制御情報の中から適切な種類の印刷制御情報を選択する印刷制御情報選択手段と、
前記選択された印刷制御情報を前記印刷装置に送信する印刷制御情報送信手段と、
前記利用者用端末から取得した前記印刷情報を前記印刷装置に送信する第２の印刷情報送信手段と、を備えることを特徴としている。
【手続補正５】
【補正対象書類名】明細書
【補正対象項目名】００３９
【補正方法】変更
【補正の内容】
【００３９】
ここで、本発明は、発明４に記載の印刷システムにおいて適用可能な印刷システム管理用サーバであり、その作用効果は重複するので記載を省略する。
〔発明１７〕
さらに、発明１７の印刷装置は、印刷システムに適用可能な印刷装置であって、
印刷システム管理用サーバから取得した印刷制御情報を記憶する印刷制御情報記憶手段と、
前記印刷システム管理用サーバから取得した印刷情報及び前記印刷制御情報記憶手段に記憶された前記印刷制御情報に基づき、質の制限された印刷処理を行う印刷処理手段と、
前記印刷システム管理用サーバから新たに前記印刷制御情報を取得する毎に、過去に取得した前記印刷制御情報を破棄する印刷制御情報破棄手段と、を備えることを特徴としている。
【手続補正６】
【補正対象書類名】明細書
【補正対象項目名】００４０
【補正方法】変更
【補正の内容】
【００４０】
ここで、本発明は、発明４に記載の印刷システムにおいて適用可能な印刷装置であり、その作用効果は重複するので記載を省略する。
〔発明１８〕
さらに、発明１８の印刷装置制御プログラムは、印刷装置を制御するためのコンピュータが実行可能なプログラムであって、
印刷装置利用者の前記印刷装置に対する印刷履歴を示す印刷履歴情報を記憶する印刷履歴情報記憶ステップと、
利用者用端末からの印刷情報及び利用者情報と、前記印刷履歴情報記憶手段の記憶内容と、に基づき、前記印刷情報によって指定される所定の印刷処理の質を制限した印刷処理を行う制限印刷処理ステップと、を備えることを特徴としている。
【手続補正７】
【補正対象書類名】明細書
【補正対象項目名】００４１
【補正方法】変更
【補正の内容】
【００４１】
ここで、本発明は、発明１４に記載の印刷装置を制御するためのプログラムであり、その効果は重複するので記載を省略する。
〔発明１９〕
さらに、発明１９の印刷システム管理用サーバ制御プログラムは、印刷システム管理用サーバを制御するためのコンピュータが実行可能なプログラムであって、
印刷装置利用者の印刷装置に対する印刷履歴を示す印刷履歴情報を記憶する印刷履歴情報記憶ステップと、
利用者用端末からの印刷情報及び利用者情報と、前記印刷履歴情報記憶手段の記憶内容と、に基づき、前記印刷情報における所定の印刷処理の質を制限した制限印刷情報を生成する制限印刷情報生成ステップと、当該生成された制限印刷情報を前記印刷装置に送信する制限印刷情報送信ステップと、を備えることを特徴としている。
【手続補正８】
【補正対象書類名】明細書
【補正対象項目名】００４２
【補正方法】変更
【補正の内容】
【００４２】
ここで、本発明は、発明１５に記載の印刷システム管理用サーバを制御するためのプログラムであり、その効果は重複するので記載を省略する。
〔発明２０〕
さらに、発明２０の印刷システム管理用サーバ制御プログラムは、印刷システム管理用サーバを制御するためのコンピュータが実行可能なプログラムであって、
前記印刷システム管理用サーバは、印刷装置が、印刷情報における所定の印刷処理の質を制限した印刷処理を行うための、制限内容に応じた複数種類の印刷制御情報を有しており、
印刷装置利用者の前記印刷装置に対する印刷履歴を示す印刷履歴情報を記憶する印刷履歴情報記憶ステップと、
利用者用端末からの前記印刷情報及び利用者情報と、前記印刷履歴情報記憶手段の記憶内容と、に基づき、前記複数種類の印刷制御情報の中から適切な種類の印刷制御情報を選択する印刷制御情報選択ステップと、
前記選択された印刷制御情報を前記印刷装置に送信する印刷制御情報送信ステップと、
前記利用者用端末から取得した前記印刷情報を前記印刷装置に送信する第２の印刷情報送信ステップと、を備えることを特徴としている。
【手続補正９】
【補正対象書類名】明細書
【補正対象項目名】００４３
【補正方法】変更
【補正の内容】
【００４３】
ここで、本発明は、発明１６に記載の印刷システム管理用サーバを制御するためのプログラムであり、その効果は重複するので記載を省略する。
〔発明２１〕
さらに、発明２１の印刷装置制御プログラムは、印刷装置を制御するためのコンピュータが実行可能なプログラムであって、
印刷システム管理用サーバから取得した印刷制御情報を記憶する印刷制御情報記憶ステップと、
前記印刷システム管理用サーバから取得した印刷情報及び前記印刷制御情報記憶手段に記憶された前記印刷制御情報に基づき、質の制限された印刷処理を行う制限印刷処理ステップと、
前記印刷システム管理用サーバから新たに前記印刷制御情報を取得する毎に、過去に取得した前記印刷制御情報を破棄する印刷制御情報破棄ステップと、を備えることを特徴としている。